(57)【要約】【課題】この発明は、アノードオフガスをカソードに導入する燃料電池システムに関し、アノードオフガスをエアコンプレッサの上流側に導入することにより、アノードオフガス中の水素ガスを処理するだけでなく、エアコンプレッサの効率を向上させることのできる燃料電池システムを提供することを目的とする。【解決手段】燃料電池のアノードから排気されたアノードオフガスをカソードに導入する構成を備えた燃料電池システムであって、吸入空気をカソードに導入するエアコンプレッサ２４と、前記エアコンプレッサ２４の上流側にアノードオフガスを導入するエアコンプレッサ上流路と、を備えることを特徴とする燃料電池システム。【選択図】図１
2007173082.tif 000002
【特許請求の範囲】
【請求項１】
燃料電池のアノードから排気されたアノードオフガスをカソードに導入する構成を備えた燃料電池システムであって、
吸入空気をカソードに導入するエアコンプレッサと、
前記エアコンプレッサの上流側にアノードオフガスを導入するエアコンプレッサ上流路と、
を備えることを特徴とする燃料電池システム。
【請求項２】
燃料電池システムの負荷を取得するシステム負荷取得手段と、
前記システム負荷が所定値より大きいか否かを判定するシステム負荷判定手段と、
前記システム負荷が所定値より小さいと判定された場合に、アノードオフガスが主として前記エアコンプレッサ上流路から導入される状態を形成するエアコンプレッサ上流路制御手段と、
を備えることを特徴とする請求項１記載の燃料電池システム。
【請求項３】
前記エアコンプレッサの下流側にアノードオフガスを導入するエアコンプレッサ下流路と、
前記エアコンプレッサの吐出温度を取得する吐出温度取得手段と、
前記吐出温度が所定値より大きいか否かを判定する吐出温度判定手段と、
前記吐出温度が所定値より大きいと判定された場合に、アノードオフガスが主として前記エアコンプレッサ下流路から導入される状態を形成するエアコンプレッサ下流路制御手段と、
を備えることを特徴とする請求項１記載の燃料電池システム。
【請求項４】
前記エアコンプレッサの下流側には、水蒸気透過膜を利用した加湿器が設置され、
請求項３記載の燃料電池システムにおいては、前記エアコンプレッサ下流路は、前記加湿器の上流側であり、
前記加湿器と、
前記加湿器の下流側にアノードオフガスを導入する加湿器下流路と、
燃料電池の加湿不足を推定する加湿不足推定手段と、
前記加湿不足推定手段により加湿不足が推定された場合に、アノードオフガスが主として前記加湿器下流路から導入される状態を形成する加湿器下流路制御手段と、
を備えることを特徴とする請求項１乃至３記載の燃料電池システム。
【請求項５】
前記加湿不足推定手段は、
燃料電池のインピーダンスに基づいて前記加湿不足を推定することを特徴とする請求項４記載の燃料電池システム。
【請求項６】
前記加湿不足推定手段は、
前記吐出温度に基づいて前記加湿不足を推定することを特徴とする請求項４記載の燃料電池システム。
【発明の詳細な説明】
【技術分野】
【０００１】
この発明は、燃料電池システムに関し、特に、アノードオフガスをカソードに導入する燃料電池システムに関する。
【背景技術】
【０００２】
従来、例えば特開２００４−３１９３１８号公報には、燃料電池から排気されたアノードオフガスを、エアコンプレッサ下流にて酸化ガスと混合した上で、カソードに導入する燃料電池システムが開示されている。このシステムは、具体的には、カソードの触媒作用によって、アノードオフガスを燃焼させ、水に転化させることができるため、電池反応で生じた水とともに電解質膜を湿潤することができる。更に、カソード上でアノードオフガスを燃焼させることにより、アノードオフガスに含まれる水素を希釈処理することができるため、システム外に排出されるアノードオフガスの水素濃度を低減することができる。
【０００３】
【特許文献１】特開２００４−３１９３１８号公報
【特許文献２】特開２００５−１７４７５７号公報
【特許文献３】特開平９−３１２１６７号公報
【特許文献４】特開平１１−１８５７８２号公報
【特許文献５】特開平１１−１８５７８３号公報
【発明の開示】
【発明が解決しようとする課題】
【０００４】
ところで、カソードに空気を供給するエアコンプレッサは、その構造上、低負荷時に体積効率が悪いことが知られている。このため、かかる領域にて所望の性能を確保するためには、エアコンプレッサの負荷を上げる必要があり、電力消費、および騒音等が問題とされていた。
【０００５】
この発明は、上述のような課題を解決するためになされたもので、アノードオフガスを前記エアコンプレッサの上流側に導入することにより、アノードオフガス中の水素ガスを処理するだけでなく、エアコンプレッサの効率を向上させることのできる燃料電池システムを提供することを目的とする。
【課題を解決するための手段】
【０００６】
第１の発明は、燃料電池のアノードから排気されたアノードオフガスをカソードに導入する構成を備えた燃料電池システムであって、
吸入空気をカソードに導入するエアコンプレッサと、
前記エアコンプレッサの上流側にアノードオフガスを導入するエアコンプレッサ上流路と、
を備えることを特徴とする。
【０００７】
また、第２の発明は、第１の発明において、
燃料電池システムの負荷を取得するシステム負荷取得手段と、
前記システム負荷が所定値より大きいか否かを判定するシステム負荷判定手段と、
前記システム負荷が所定値より小さいと判定された場合に、アノードオフガスが主として前記エアコンプレッサ上流路から導入される状態を形成するエアコンプレッサ上流路制御手段と、
を備えることを特徴とする。
【０００８】
また、第３の発明は、第１の発明において、
前記エアコンプレッサの下流側にアノードオフガスを導入するエアコンプレッサ下流路と、
前記エアコンプレッサの吐出温度を取得する吐出温度取得手段と、
前記吐出温度が所定値より大きいか否かを判定する吐出温度判定手段と、
前記吐出温度が所定値より大きいと判定された場合に、アノードオフガスが主として前記エアコンプレッサ下流路から導入される状態を形成するエアコンプレッサ下流路制御手段と、
を備えることを特徴とする。
【０００９】
また、第４の発明は、第１乃至３の発明において、
前記エアコンプレッサの下流側には、水蒸気透過膜を利用した加湿器が設置され、
請求項３記載の燃料電池システムにおいては、前記エアコンプレッサ下流路は、前記加湿器の上流側であり、
前記加湿器と、
前記加湿器の下流側にアノードオフガスを導入する加湿器下流路と、
燃料電池の加湿不足を推定する加湿不足推定手段と、
前記加湿不足推定手段により加湿不足が推定された場合に、アノードオフガスが主として前記加湿器下流路から導入される状態を形成する加湿器下流路制御手段と、
を備えることを特徴とする。
【００１０】
また、第５の発明は、第４の発明において、
前記加湿不足推定手段は、
前記吐出温度に基づいて前記加湿不足を推定することを特徴とする。
【００１１】
また、第６の発明は、第４の発明において、
前記加湿不足推定手段は、
前記吐出温度に基づいて前記加湿不足を推定することを特徴とする。
【発明の効果】
【００１２】
第１の発明によれば、本発明はアノードオフガスを前記エアコンプレッサ上流側に導入するエアコンプレッサ上流路を備える。ここで、アノードオフガスには多くの水分が含まれている。このため、アノードオフガスがかかる流路を通過し、前記エアコンプレッサ内部に吸入された場合、ガス内部の水分が前記エアコンプレッサ内部のロータとケーシングの隙間を塞ぎ、圧縮空気の漏れを抑制する役割を果たし、その結果エアコンプレッサの体積効率が向上する。したがって、燃料電池システムの効率を向上させることができる。
【００１３】
第２の発明によれば、本発明は燃料電池システムの負荷を取得する手段を備える。ここで、前記エアコンプレッサは低負荷であるほど体積効率が低い。このため、前記システム負荷が所定値よりも低い領域において前記体積効率が低いと判断し、前記エアコンプレッサの上流路にアノードガスが導入されるよう制御することができる。したがって、システムの効率が低い場合に、エアコンプレッサの体積効率を向上させ、燃料電池システム全体の効率を向上させることができる。
【００１４】
第３の発明によれば、本発明はアノードオフガスを前記エアコンプレッサ下流側に導入するエアコンプレッサ下流路を備える。ここで、アノードオフガスには多くの水分が含まれている。そして、アノードオフガスがかかる流路を通過し、前記エアコンプレッサの下流に導入された場合、前記エアコンプレッサにて圧縮された高温の吐出空気と混合される。このため、アノードオフガス中の水分が気体に相転移するための潜熱として、高温の吐出空気の熱量が消費され、吐出空気の温度を低下させることができる。したがって、前記エアコンプレッサの吐出温度の上昇を抑制し、燃料電池システムが過剰に昇温することを抑制することができる。
【００１５】
第４の発明によれば、加湿器は、前記エアコンプレッサの下流側に設置される。そして、アノードオフガスを前記加湿器下流側に導入する加湿器下流路を備える。ここで、アノードオフガスには多くの水分が含まれている。このため、燃料電池が加湿不足と判断された場合には、かかる流路を通過し、加湿器下流にアノードオフガスが導入されるよう制御することができる。これにより、多くの水分を含むアノードオフガスは、前記加湿器を通過し加湿された空気と混合され、さらに加湿を行うことができる。したがって、燃料電池の加湿不足を補うことができ、燃料電池システムの効率を向上させることができる。
【００１６】
第５の発明によれば、燃料電池の湿潤状態は、燃料電池システムのインピーダンスと相関を有する。このため、インピーダンスが所定値よりも大きいと判断された場合には、燃料電池は加湿不足であると判断することができる。
【００１７】
第６の発明によれば、加湿器の加湿能力は、加湿器に導入される空気の温度、すなわち前記エアコンプレッサの吐出温度と相関を有する。このため、前記吐出温度が所定値よりも小さいと判断された場合には、燃料電池は加湿不足であると判断することができる。
【発明を実施するための最良の形態】
【００１８】
実施の形態１．
［実施の形態１の構成］
図１は、本発明の実施形態１の構成を説明するための図を示す。図１に示すように、本実施形態の燃料電池システムは燃料電池スタック１０を備えている。燃料電池スタック１０はプロトン伝導性を有する電解質膜の両面にアノード、およびカソードを備えた図示しない燃料電池単位セルを複数積層したスタックである。
【００１９】
燃料電池スタック１０は、燃料ガス供給系統と、酸化ガス供給系統を備えている。燃料ガス供給系統には、水素タンク１２からアノードに水素ガスを供給するための燃料ガス流路１４と、アノードから排気されるアノードオフガスをカソードに導入するためのアノードオフガス流路１６が配管されている。
【００２０】
一方、燃料電池システムの酸化ガス系統には、カソードに酸素ガスを供給するための酸化ガス流路１８と、カソードから排気されるカソードオフガスを排気するためのカソードオフガス流路２０が配管されている。酸化ガス流路１８の入口には、大気から取り込んだエアに含まれている粉塵等を除去するエアクリーナ２２が設置されている。また、その下流側には吸入空気を圧縮するルーツ式エアコンプレッサ２４が設置されており、圧縮空気を酸化ガス流路１８を通じてカソードに供給する。また、前記エアコンプレッサ２４の吐出口には、吐出空気の温度を検出するための温度センサ４２が設置されている。
【００２１】
更に、エアコンプレッサ２４下流には、酸化ガス流路１８に連通するよう加湿器２６が設置されている。加湿器２６は、カソードオフガス流路２０とも連通しており、燃料電池スタック１０の電池反応にて生じた生成水によって高湿潤状態となったカソードオフガスと、大気より取り込んだ低湿潤状態の酸化ガスとの間で水分交換が行われる。
【００２２】
また、アノードオフガス流路１６は、酸化ガス流路１８に分岐配管されている。先ず、第１のアノードパージ流路２８はエアコンプレッサ２４の上流側に配管されている。また、第２のアノードパージ流路３０はエアコンプレッサ２４の下流側、かつ加湿器２６の上流側に配管されている。そして、第３のアノードパージ流路３２は加湿器の下流側に配管されている。上記第１乃至３のアノードパージ流路２８、３０、および３２には、それぞれ第１乃至３のアノードパージ弁３４、３６、および３８が配設されている。そして、指定されたアノードパージ弁を開弁することにより、アノードオフガスを指定位置に導入することができる。
【００２３】
本発明の実施形態１はＥＣＵ(Electronic Control Unit）４０を備えている。ＥＣＵ４０は、運転条件検出、アノードパージ量の算出、およびアノードパージ弁の開閉制御等の処理を行う。
【００２４】
[実施の形態１の動作]
次に、図１を参照して、本発明の実施形態１の動作について説明する。図１に示すように、エアクリーナ２２にて粉塵等が除去された吸入空気は、酸化ガス流路１８を通りエアコンプレッサ２４、加湿器２６を介して圧縮、および加湿され、カソードに導入される。また、水素タンク１２の水素ガスは、燃料ガス流路１４を通り、アノードに導入される。そして、アノードでは（１）式の酸化反応が生じ、カソードでは（２）式の還元反応が生じる。
Ｈ２→２Ｈ＋＋２ｅ−    ・・・（１）
（１／２）Ｏ２＋２Ｈ＋＋２ｅ−→Ｈ２Ｏ    ・・・（２）
【００２５】
つまり、上記（１）式に示すとおり、アノードに供給された水素ガス（Ｈ２）は、アノードの触媒作用によって原子間の結合が弱められ、プロトン（Ｈ＋）と電子（ｅ−）に分離される。プロトンは電解質膜内部をカソードに向かって移動し、電子は図示しない負荷を通ってカソードに向かって移動する。そして、上記（２）式に示すとおり、カソードに供給される空気に含まれる酸素（Ｏ２）、負荷を通った電子、及び電解質膜内部を移動したプロトンは、カソードの触媒作用によって水分子（Ｈ２Ｏ）を生成する。燃料電池では、このような一連の反応が行われ、空気、及び水素が連続的に供給されることによって発電を行い、負荷で電力が取り出される。
【００２６】
以上説明したとおり、理想的な電極反応の場合、アノードにおいて、排出ガスは発生しない。しかしながら、実際は電極反応を行わずに排出される水素ガスや、カソードから電解質膜を通過してアノード極に混入した窒素等の不純ガス、および電極内部に浸透している水等がアノードオフガスとして排出される。排出は定期的に行われ、排出されたアノードオフガスはアノードオフガス流路１６を通り、カソードに導入される。そしてカソードの触媒作用により、水素ガスが酸素ガスと反応し水分子となる。したがって、水素ガスの希釈、および電解質膜の湿潤を行うことができる。
【００２７】
ここで、前述のとおり、本実施の形態においては、アノードオフガス流路１６は、酸化ガス流路１８の異なる位置に分岐配管されている。そして、それぞれの流路にはアノードパージ弁が接続されており、所望の流路にかかるガスを流すことができる。したがって、運転条件に応じて最適な導入位置を選択し、かかる流路のパージ弁の制御を行うことにより、以下に示す動作が行われる。
【００２８】
先ず、第１のアノードパージ弁３４を開弁した場合、アノードオフガスは、流路１６から第１のアノードパージ流路２８へ流れ、エアコンプレッサ２４の上流に導入される。前述のとおり、アノードオフガスには、多くの水分が含まれている。このため、かかる湿潤ガスがエアコンプレッサ２４に供給された場合、ガス内部の水分が機器内部のロータとケーシングの隙間を塞ぎ、圧縮空気の漏れを抑制する役割を果たし、エアコンプレッサの体積効率が向上する。したがって、エアコンプレッサの体積効率低下が顕著に現れる低負荷時にかかる動作を行うこととすると好適である。
【００２９】
また、第２のアノードパージ弁３６を開弁した場合、アノードオフガスは、流路１６から第２のアノードパージ流路３０へ流れ、エアコンプレッサ２４の下流、かつ加湿器２６の上流に導入される。つまり、アノードオフガスは、エアコンプレッサ２４から吐出された高温の空気と混ぜられ、上記加湿器２８に供給される。ここで、前述のとおり、アノードオフガスには、多くの水分が含まれている。このため、かかる水分が気体に相転移するための潜熱として、高温となった空気の熱量が消費されるため、吸入空気の昇温を抑制することができる。したがって、圧縮空気が高温となるシステムの高負荷時にかかる動作を行うこととすると、インタークーラ等の他の冷却装置や、耐熱性の高い加湿器によらず、加湿器の保護の実行を図ることができる。
【００３０】
また、第３のアノードパージ弁３８を開弁した場合、アノードオフガスは、流路１６から第３のアノードパージ流路３２へ流れ、加湿器２６の下流に導入される。前述のとおり、カソードに導入される吸入空気は、燃料電池内部の電解質膜、および電極を湿潤する役割を果たすため、加湿器２６にて十分加湿される必要がある。しかしながら、システムの高負荷時等においては、多量の加湿空気が必要であるため、かかる状況に対応するためには、大容量の加湿器を備える必要がある。ここで、前述のとおり、アノードオフガスには、多くの水分が含まれている。このため、かかるガスを加湿器下流に導入することにより、加湿空気の供給を補助することができる。したがって、加湿不足となる高負荷時等の状況において、かかる動作を行うこととすると、加湿性能を確保することができ好適である。
【００３１】
以上説明したとおり、本実施の形態のシステムによれば、アノードオフガスを導入する位置により異なる動作が行われる。このため、運転条件に基づいて導入位置を選択し、パージ弁の開閉制御を行うことにより、アノードオフガスを処理するだけでなく、運転条件に応じて、エアコンプレッサ効率向上、加湿器の昇温防止、または加湿性能確保を行うことができる。
【００３２】
[実施の形態１における具体的処理]
図２は、ＥＣＵ４０が上記の手順でアノードオフガスを処理するために実行するルーチンのフローチャートである。図２に示すルーチンでは、先ず、燃料電池システムの運転条件が取り込まれる（ステップ１００）。ここでは、具体的には、システムの負荷、エアコンプレッサ２４の吐出温度等が検出される。システムの負荷は燃料電池から検出される電流値に基づいて推定され、吐出温度はエアコンプレッサ吐出口に設置された温度センサ４２の検出信号に基づいて推定される。
【００３３】
次に、アノードパージ量が算出される（ステップ１０２）。アノード極に発生したアノードオフガスは、定期的に排出処理する必要がある。そして、アノードオフガスの発生量は、システムの負荷から推定することができる。ＥＣＵ４０は、システムの負荷と、アノードパージ弁の開閉時間の関係を定めたマップを記憶している。ここでは、そのマップにしたがって、上記ステップ１００にて取得したシステム負荷に対応するパージ弁開閉時間が特定される。
【００３４】
次に、システムの平均負荷が、ある所定値Ａよりも小さいか否かが判断される（ステップ１０４）。前述のとおり、システムが低負荷であるほどエアコンプレッサの体積効率が悪い。このため、所定値Ａとしては、システムが低負荷となり、エアコンプレッサの効率を向上させる必要性のある負荷範囲に設定するのが好ましい。ＥＣＵ４０は所定値Ａを記憶している。ここでは、具体的には、上記ステップ１００にて取り込まれた負荷の履歴に基づいて算出された平均負荷が、上記所定値Ａと比較される。そして、平均負荷が所定値Ａよりも小さい場合には、第１のアノードパージ弁３４が選択される（ステップ１０６）。
【００３５】
図２に示すルーチンでは、次に、上記ステップ１０６にて選択された第１のアノードパージ弁３４が駆動される（ステップ１０８）。ここでは、具体的には、上記ステップ１０２にて算出した開弁時間に基づいて、かかる弁の開閉処理が実行され、本ルーチンは終了する。開弁中は、アノードオフガスがエアコンプレッサ２４の上流に導入され、エアコンプレッサの効率を向上させることができる。
【００３６】
一方、上記ステップ１０４において、平均負荷が所定値Ａよりも大きい場合においては、次のステップに移行し、エアコンプレッサの吐出温度が所定値Ｃよりも大きいか否かが判断される（ステップ１１０）。前述のとおり、エアコンプレッサの吐出温度が高い場合は、高温空気が加湿器に導入されるため、加湿器保護の観点から好ましくない。このため、所定値Ｃとしては、吐出温度が高温となり、温度を下げる必要性のある温度範囲に設定するのが好ましい。ＥＣＵ４０は所定値Ｃを記憶している。ここでは、具体的には、上記ステップ１００にて取り込まれた吐出温度が、上記所定値Ｃと比較される。そして、吐出温度が所定値Ｃよりも大きい場合には、アノードパージ弁３６が選択される（ステップ１１２）。
【００３７】
図２に示すルーチンでは、次に、ステップ１０８に移行し、上記ステップ１１２にて選択された第２のアノードパージ弁３６が駆動される。開弁中は、アノードオフガスが加湿器２６の上流に導入され、エアコンプレッサから吐出された吸入空気の温度を下げ、加湿器を保護することができる。
【００３８】
一方、上記ステップ１１０において、吐出温度が所定値Ｃよりも小さい場合においては、かかる吐出温度を下げる必要性がないと判断できる。また、吐出空気は、温度が低いほど飽和水蒸気量が減少する。このため、かかる低温空気が加湿器を通過しても十分に加湿することができないことから、加湿不足を推定することができる。したがって、かかる場合においては、加湿器下流にアノードオフガスを導入するための第３のアノードパージ弁３８が選択される（ステップ１１４）。そして、次に、ステップ１０８に移行し、上記ステップ１１４にて選択されたアノードパージ弁３８が駆動される。開弁中は、アノードオフガスが加湿器２６の下流に導入され、加湿を補助し、加湿器の負担軽減を図ることができる。
【００３９】
以上説明したとおり、本実施の形態のシステムによれば、システムの運転状態に応じたアノードオフガスの導入位置を選択することができる。このため、アノードオフガス中の水素ガスを希釈するだけでなく、運転条件に応じて、エアコンプレッサの効率向上、加湿器の昇温防止、および加湿性能確保を実現することができる。
【００４０】
ところで、上述した実施の形態１においては、第１乃至３のアノードパージ流路を備え、運転条件に応じて、アノードオフガスを導入する位置を選択することとしているが、システムの構成はこれに限定されない。すなわち、第１のアノードパージ流路２８のみを備え、アノードオフガスは、すべてかかる流路２８から導入することとしてもよいし、第１の流路２８と第２の流路３０、あるいは第１の流路２８と第３の流路３２のみ備え、運転条件に応じて、アノードオフガスを導入する位置を選択することとしてもよい。
【００４１】
また、上述した実施の形態１においては、燃料供給系統が非循環型の燃料電池システムにおいて本発明を実施することとしているが、燃料電池システムはこれに限られない。すなわち、水素利用率を向上させるために、水素ガスを外気に放出しない循環型の燃料電池システムにおいて本発明を実施することとしてもよい。
【００４２】
また、上述した実施の形態１においては、ルーツ式のエアコンプレッサを使用することとしているが、エアコンプレッサの種類はこれに限られない。すなわち、空気中の水分の影響により、体積効率が向上するのであれば、他の方式（例えば、スクリュー式、ターボ式等）のコンプレッサをしようすることとしてもよい。
【００４３】
また、上述した実施の形態１においては、エアコンプレッサの吐出温度を、エアコンプレッサ吐出部に設置された温度センサにより検出し、かかる吐出温度に基づいて加湿不足を推定することとしているが、加湿不足の推定手法はこれに限られない。すなわち、燃料電池のインピーダンスを検出し、かかる値に基づいて加湿不足を推定することとしてもよい。
【００４４】
また、上述した実施の形態１においては、アノードパージ弁の開閉時間を、取得した負荷とのマップにしたがって特定することとしているが、上記開閉時間の特定手法はこれに限られない。すなわち、アノードオフガス中に含まれる不純物を検知するセンサをアノード極付近に設置し、かかるセンサの検出信号に基づいてアノードオフガスの蓄積状況を推定し、パージ弁の開閉時間を特定することとしてもよい。
【００４５】
尚、上述した実施の形態１においては、第１のアノードパージ流路２８が前記第１の発明における「エアコンプレッサ上流路」に相当している。
【００４６】
また、上述した実施の形態１においては、ＥＣＵ４０が、上記ステップ１００の処理を実行することにより、前記第２の発明における「システム負荷取得手段」が、上記ステップ１０４の処理を実行することにより、前記第２の発明における「システム負荷判定手段」が、上記ステップ１０８の処理を実行することにより、前記第２の発明における「エアコンプレッサ上流路制御手段」が、それぞれ実行されている。
【００４７】
また、上述した実施の形態１においては、第２のアノードパージ流路３０が前記第３の発明における「エアコンプレッサ下流路」に相当していると共に、ＥＣＵ４０が、上記ステップ１００の処理を実行することにより、前記第３の発明における「吐出温度取得手段」が、上記ステップ１１０の処理を実行することにより、前記第３の発明における「吐出温度判定手段」が、上記ステップ１０８の処理を実行することにより、前記第３の発明における「エアコンプレッサ下流路制御手段」が、それぞれ実行されている。
【００４８】
また、上述した実施の形態１においては、第３のアノードパージ流路３２が前記第４の発明における「加湿器下流路」に相当していると共に、ＥＣＵ４０が、上記ステップ１１０の処理を実行することにより、前記第４の発明における「加湿不足推定手段」が、上記ステップ１０８の処理を実行することにより、前記第４の発明における「加湿器下流路制御手段」が、それぞれ実行されている。
【図面の簡単な説明】
【００４９】
【図１】本発明の実施の形態１の構成を説明するための図である。
【図２】本発明の実施の形態１において実行されるルーチンのフローチャートである。
【符号の説明】
【００５０】
１０  燃料電池スタック
１２  水素タンク
１４  燃料ガス流路
１６、アノードオフガス流路
１８  酸化ガス流路
２０  カソードオフガス流路
２２  エアクリーナ
２４  エアコンプレッサ
２６  加湿器
２８  第１のアノードパージ流路
３０  第２のアノードパージ流路
３２  第３のアノードパージ流路
３４  第１のアノードパージ弁
３６  第２のアノードパージ弁
３８  第３のアノードパージ弁
４０  ＥＣＵ(Electronic Control Unit)
４２  温度センサ
【図１】
2007173082.tif 000003
【図２】
2007173082.tif 000004